(57)【要約】【課題】予め定められた記録媒体にのみデータの再生及び記録することが可能な情報記録装置及び情報記録制御プログラムを提供することである。【解決手段】少なくとも１つ以上のデータが記録された再記録禁止領域及び記録が可能な記録可能領域を有する記録媒体から当該記録媒体を識別する識別情報を検出し、この検出された識別情報に基づいてデータの記録開始位置を特定し、この記録開始位置を含んだ目次情報を生成して記録媒体の記録可能領域に記録する。【選択図】図３
2005235327.tif 000002
【特許請求の範囲】
【請求項１】
少なくとも１つ以上のデータが記録された再記録禁止領域及び記録が可能な記録可能領域を有する記録媒体から当該記録媒体を識別する識別情報を検出する検出手段と、
前記検出された識別情報に基づいて前記データの記録開始位置を特定する特定手段と、
前記特定された記録開始位置を含む目次情報を生成する目次情報生成手段と、
前記生成された目次情報を前記記録媒体の記録可能領域に記録する記録制御手段と、
を備えたことを特徴とする情報記録装置。
【請求項２】
記録対象データを取得する取得手段をさらに備え、
前記特定手段は、前記取得された記録対象データの記録開始位置を特定し、
前記目次情報生成手段は、前記特定された記録開始位置を含む目次情報を生成し、
前記記録制御手段は、前記生成された目次情報を前記記録媒体の記録可能領域に記録した後、前記特定された記録対象データの記録開始位置に基づいて前記記録対象データを前記記録媒体の記録可能領域に記録することを特徴とする請求項１に記載の情報記録装置。
【請求項３】
前記取得された記録対象データに基づいて当該記録対象データのファイル形式を所定のファイル形式に変換するデータ処理手段をさらに備え、
前記特定手段は、前記変換された記録対象データの記録開始位置を特定し、
前記目次情報生成手段は、前記特定された記録開始位置を含む目次情報を生成し、
前記記録制御手段は、前記生成された目次情報を前記記録媒体の記録可能領域に記録した後、前記特定された変換された記録対象データの記録開始位置に基づいて前記変換された記録対象データを前記記録媒体の記録可能領域に記録することを特徴とする請求項２に記載の情報記録装置。
【請求項４】
前記記録制御手段は、前記記録媒体の記録可能領域の最も内側の領域に前記目次情報を記録することを特徴とする請求項１〜３の何れか一項に記載の情報記録装置。
【請求項５】
コンピュータに、
少なくとも１つ以上のデータが記録された再記録禁止領域及び記録が可能な記録可能領域を有する記録媒体から当該記録媒体を識別する識別情報を検出する検出機能と、
前記検出された識別情報に基づいて前記データの記録開始位置を特定する特定機能と、
前記特定された記録開始位置を含む目次情報を生成する目次情報生成機能と、
前記生成された目次情報を前記記録媒体の記録可能領域に記録する記録制御機能と、
を実現させる情報記録制御プログラム。
【請求項６】
前記コンピュータに、
記録対象データを取得する取得機能をさらに実現させ、
前記特定機能は、前記取得された記録対象データの記録開始位置を特定し、
前記目次情報生成機能は、前記特定された記録開始位置を含む目次情報を生成し、
前記記録制御機能は、前記生成された目次情報を前記記録媒体の記録可能領域に記録した後、前記特定された記録対象データの記録開始位置に基づいて前記記録対象データを前記記録媒体の記録可能領域に記録することを特徴とする請求項５に記載の情報記録制御プログラム。
【請求項７】
前記コンピュータに、
前記取得された記録対象データに基づいて当該記録対象データのファイル形式を所定のファイル形式に変換するデータ処理機能をさらに実現させ、
前記特定機能は、前記変換された記録対象データの記録開始位置を特定し、
前記目次情報生成機能は、前記特定された記録開始位置を含む目次情報を生成し、
前記記録制御機能は、前記生成された目次情報を前記記録媒体の記録可能領域に記録した後、前記特定された変換された記録対象データの記録開始位置に基づいて前記変換された記録対象データを前記記録媒体の記録可能領域に記録することを特徴とする請求項６に記載の情報記録制御プログラム。
【請求項８】
前記記録制御機能は、前記記録媒体の記録可能領域の最も内側の領域に前記目次情報を記録することを特徴とする請求項５〜７の何れか一項に記載の情報記録制御プログラム。
【発明の詳細な説明】
【技術分野】
【０００１】
本発明は、記録媒体に記録を行う情報記録装置及び情報記録制御プログラムに関する。
【背景技術】
【０００２】
近年、写真に関連する様々なサービスが提供されるようになってきている。例えば、ユ
ーザがデジタルカメラで写真を撮影し、写真の画像ファイルを記録したデジタルカメラや
デジタルカメラ用メディアをミニラボ等の写真店に持ち込み、店舗内に設けられた無人端
末（キオスク）や店頭端末等を用いて、デジタルカメラやメディアに記録された画像データをＣＤ−Ｒ、ＤＶＤ−Ｒ等のディスク型記録媒体に書き込むことができる。
【０００３】
また、デジタルカメラやメディア、フィルムから読み取った画像データを、例えば、
ＤＶＤプレーヤやＤＶＤレコーダのような画像再生機器で再生することができるようにフ
ァイル形式を変換し、元の画像データと変換した画像データとをＣＤ−Ｒ、ＤＶＤ−Ｒ等のディスク型記録媒体に書き込むサービスも行われている。
【０００４】
一方、ディスク型記録媒体に対し、再書込みを禁止する記録領域と、再記録可能な記録領域とを設けた記録媒体が提案されている（例えば、特許文献１参照。）。このようなディスク型記録媒体を利用することによって、例えば、再書込み禁止記録領域にアプリケーションプログラムやコンテンツデータ等のデータを予め記録しておき、再記録可能記録領域にデジタルカメラやメディアに記録された画像データ等を記録することができる。
【特許文献１】特開２０００−１１４７６号公報
【発明の開示】
【発明が解決しようとする課題】
【０００５】
しかしながら、特許文献１では、ディスク型記録媒体の情報を管理するための目次情報であるＴＯＣ情報が予め記録されているため、ディスク型記録媒体中の再書込み禁止記録領域に記録されているデータは、ＴＯＣ（Table Of Contents）情報を読み取り可能なパソコン等の再生装置により読み込むことが可能である。したがって、例えば、再書込み禁止記録領域に記録されたデータを、特定の装置でのみ再生することを可能としたい場合には適用することはできない。また、再記録可能記録領域に対し、特定の装置でのみ記録を行うことを可能としたい場合にも同様に適用することはできない。
【０００６】
本発明の課題は、予め定められた記録媒体にのみデータの再生及び記録することが可能な情報記録装置及び情報記録制御プログラムを提供することである。
【課題を解決するための手段】
【０００７】
上記課題を解決するために、請求項１に記載の発明は、
少なくとも１つ以上のデータが記録された再記録禁止領域及び記録が可能な記録可能領域を有する記録媒体から当該記録媒体を識別する識別情報を検出する検出手段と、
前記検出された識別情報に基づいて前記データの記録開始位置を特定する特定手段と、
前記特定された記録開始位置を含む目次情報を生成する目次情報生成手段と、
前記生成された目次情報を前記記録媒体の記録可能領域に記録する記録制御手段と、
を備えたことを特徴としている。
【０００８】
ここで、「記録媒体」とは、ＣＤ−Ｒ、ＣＤ−ＲＷ、ＤＶＤ−ＲＡＭ、ＤＶＤ±Ｒ、ＤＶＤ±ＲＷ、ブルーレイディスク、ＭＯディスク等のディスク型記録媒体である。
【０００９】
また、目次情報とは、記録媒体上に記録されたデータの開始位置を予め記録したＴＯＣ情報等の情報であり、この目次情報に基づいて記録媒体に記録されたデータが読み出だされる。
【００１０】
請求項２に記載の発明は、請求項１に記載の発明において、
記録対象データを取得する取得手段をさらに備え、
前記特定手段は、前記取得された記録対象データの記録開始位置を特定し、
前記目次情報生成手段は、前記特定された記録開始位置を含む目次情報を生成し、
前記記録制御手段は、前記生成された目次情報を前記記録媒体の記録可能領域に記録した後、前記特定された記録対象データの記録開始位置に基づいて前記記録対象データを前記記録媒体の記録可能領域に記録することを特徴としている。
【００１１】
請求項３に記載の発明は、請求項２に記載の発明において、
前記取得された記録対象データに基づいて当該記録対象データのファイル形式を所定のファイル形式に変換するデータ処理手段をさらに備え、
前記特定手段は、前記変換された記録対象データの記録開始位置を特定し、
前記目次情報生成手段は、前記特定された記録開始位置を含む目次情報を生成し、
前記記録制御手段は、前記生成された目次情報を前記記録媒体の記録可能領域に記録した後、前記特定された変換された記録対象データの記録開始位置に基づいて前記変換された記録対象データを前記記録媒体の記録可能領域に記録することを特徴としている。
【００１２】
ここで、「所定のファイル形式に変換する」とは、記録対象データのファイル名やファイル構造を所定の形式に従うように再生成することや、記録対象データのデータ形式を異なるデータ形式に変換することを意味する。
【００１３】
請求項４に記載の発明は、請求項１〜３の何れか一項に記載の発明において、
前記記録制御手段は、前記記録媒体の記録可能領域の最も内側の領域に前記目次情報を記録することを特徴としている。
【００１４】
また、上記課題を解決するために、請求項５に記載の発明は、
コンピュータに、
少なくとも１つ以上のデータが記録された再記録禁止領域及び記録が可能な記録可能領域を有する記録媒体から当該記録媒体を識別する識別情報を検出する検出機能と、
前記検出された識別情報に基づいて前記データの記録開始位置を特定する特定機能と、
前記特定された記録開始位置を含む目次情報を生成する目次情報生成機能と、
前記生成された目次情報を前記記録媒体の記録可能領域に記録する記録制御機能と、
を実現させる。
【００１５】
ここで、コンピュータとは、バスで接続されたＣＰＵ、ＲＯＭ、ＲＡＭ及びＩ／Ｏを基本構成とする装置であって、マイクロコンピュータ、マイクロプロセッサ等を含み、その組み込み先装置の如何（例えば、パソコン、ＤＶＤプレーヤ、ＤＶＤレコーダ、ＨＤＤレコーダ、ブルーレイディスクプレーヤ、ブルーレイディスクレコーダ、ホームサーバ、ゲーム機、ＨＤＤナビゲーションシステム等）を問わない。したがって、本発明に係るプログラムは上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下、同様）。
【００１６】
請求項６に記載の発明は、請求項５に記載の発明において、
前記コンピュータに、
記録対象データを取得する取得機能をさらに実現させ、
前記特定機能は、前記取得された記録対象データの記録開始位置を特定し、
前記目次情報生成機能は、前記特定された記録開始位置を含む目次情報を生成し、
前記記録制御機能は、前記生成された目次情報を前記記録媒体の記録可能領域に記録した後、前記特定された記録対象データの記録開始位置に基づいて前記記録対象データを前記記録媒体の記録可能領域に記録することを特徴としている。
【００１７】
請求項７に記載の発明は、請求項６に記載の発明において、
前記コンピュータに、
前記取得された記録対象データに基づいて当該記録対象データのファイル形式を所定のファイル形式に変換するデータ処理機能をさらに実現させ、
前記特定機能は、前記変換された記録対象データの記録開始位置を特定し、
前記目次情報生成機能は、前記特定された記録開始位置を含む目次情報を生成し、
前記記録制御機能は、前記生成された目次情報を前記記録媒体の記録可能領域に記録した後、前記特定された変換された記録対象データの記録開始位置に基づいて前記変換された記録対象データを前記記録媒体の記録可能領域に記録することを特徴としている。
【００１８】
請求項８に記載の発明は、請求項５〜７の何れか一項に記載の発明において、
前記記録制御機能は、前記記録媒体の記録可能領域の最も内側の領域に前記目次情報を記録することを特徴としている。
【発明の効果】
【００１９】
請求項１又は請求項５に記載の発明によれば、少なくとも１つ以上のデータが記録された再記録禁止領域及び記録が可能な記録可能領域を有する記録媒体から当該記録媒体を識別する識別情報を検出し、この検出された識別情報に基づいてデータの記録開始位置を特定し、この記録開始位置を含んだ目次情報を生成して記録媒体の記録可能領域に記録することにより、識別情報を識別することが可能な情報記録装置又は情報記録制御プログラムのみが再記録禁止領域に記録されたデータを再生することが可能となる。また、記録媒体に記録されたデータの目次情報を生成して記録媒体の記録可能領域に記録することにより、目次情報を読み取り可能な装置において、再記録禁止領域に記録されたデータを再生することを可能とすることができる。
【００２０】
請求項２又は請求項６の発明によれば、記録対象データを取得し、この取得された記録対象データの記録開始位置を特定し、この記録開始位置を含んだ目次情報を生成して記録媒体の記録可能領域に記録した後、特定された記録対象データの記録開始位置に基づいて記録対象データを記録媒体の記録可能領域に記録することにより、識別情報を識別することが可能な情報記録装置又は情報記録制御プログラムのみが目次情報を生成し記録媒体の記録可能領域に記録することが可能であり、この記録媒体の記録可能領域に記録対象データを記録することができる。
【００２１】
請求項３又は請求項７の発明によれば、取得された記録対象データのファイル形式に基づいてこの記録対象データのファイル形式を所定のファイル形式に変換し、この変換された記録対象データの記録開始位置を特定し、この記録開始位置を含んだ目次情報を生成して記録媒体の記録可能領域に記録した後、変換された記録対象データの記録開始位置に基づいて変換された記録対象データを記録媒体の記録可能領域に記録することにより、識別情報を識別することが可能な情報記録装置又は情報記録制御プログラムのみが目次情報を生成し前記記録媒体の記録可能領域に記録することが可能であり、この記録媒体の記録可能領域に所定のファイル形式に変換された記録対象データを記録することができる。
【００２２】
請求項４又は請求項８の発明によれば、記録媒体の記録可能領域の最も内側の領域に目次情報を記録するため、目次情報を認識することが可能な再生装置で記録媒体に記録されたデータを取り扱うことが可能となる。また、最も内側の領域に記録することにより、再生装置で目次情報の読み込みを効率的に行うことができる。
【発明を実施するための最良の形態】
【００２３】
以下、図を参照して、本発明を実施するための最良の形態を詳細に説明する。
図１に本実施の形態に係る情報記録装置１の外観構成を示す。
図１に示すように、情報記録装置１は、スマートメディア、コンパクトフラシュ、メモリースティック、ＳＤメモリーカード、マルチメディアカード、インフォ・マイカ（Info-MICA：Information-Multilayered Imprinted Card（登録商標））等の記録メディアＭを装填するメディア装填部１６ａと、ＣＤ−ＲやＤＶＤ−Ｒ、ブルーレイディスク等の記録媒体Ｄを装填する記録媒体装填部１６ｂと、ボタン、キーボード、マウス等を有する入力部１１及びＬＣＤ（Liquid Crystal Display）、ＣＲＴ（Cathode Ray Tube）等を有する表示部１２とを備えている。なお、図示しないが、筐体の内部には後述する特定手段、目次情報生成手段及び記録制御手段としての制御部１０が格納されている。
【００２４】
なお、図１ではパソコン型の情報記録装置１を記載しているが、情報記録装置１の形態はこれに限定されず、例えば、ＤＶＤプレーヤ、ＤＶＤレコーダ、ＨＤＤレコーダ、ブルーレイディスクプレーヤ、ブルーレイディスクレコーダ、ホームサーバ、ゲーム機、ＨＤＤナビゲーションシステム等としてもよい。
【００２５】
次に、情報記録装置１の機能的構成を図２のブロック図を用いて説明する。図２において、情報記録装置１は、制御部１０、入力部１１、表示部１２、通信制御部１３、ＲＡＭ（Random Access Memory）１４、記憶部１５、データ入力部１６、検出部１７、データ処理部１８等を有しており、各部はバス１９により接続されている。
【００２６】
制御部１０は、図示しないＣＰＵ（Central Processing Unit）等から構成され、記憶部１５に格納された各種プログラムを読み出し、ＲＡＭ１４に展開し、該制御プログラムに従って各部の動作を集中処理する。また、制御部１０は、ＲＡＭ１４に展開したプログラムに従って各種処理を実行し、その処理結果をＲＡＭ１４に格納するとともに、表示部１２に表示させる。そして、ＲＡＭ１４に格納した処理結果を記憶部１５の所定の保存先に保存させる。
【００２７】
制御部１０は、記録媒体装填部１６ｂに装填される記録媒体Ｄから、識別情報を検出する制御を検出部１７に行う。また、検出部１７により、識別情報が検出されると、当該識別情報に基づいて開始アドレスを特定し、この開始アドレスを含んだＴＯＣ情報を生成する。また、通信制御部１３を介して入力されるデータや取得記録部１６に装填される記録媒体からデータを取得して開始アドレスを特定し、この開始アドレスを含んだＴＯＣ情報を生成する。また、取得されたデータに対して、ファイル名、ディレクトリ構成の再生成やデータ形式の変換を制御し、変換されたデータの開始アドレスを特定して、この開始アドレスを含んだＴＯＣ情報を生成する。
【００２８】
また、制御部１０は、取得記録部１６を制御し、メディア装填部１６ａ又は記録媒体装填部１６ｂに装填された記録媒体に対し、各種データの記録を行う。
【００２９】
入力部１１は、カーソルキー、数字入力キー及び各種機能キー等を備えたキーボードと、マウス等のポインティングデバイスを備えて構成され（何れも図示略）、キーボードに対するキー操作やマウス操作により入力された指示信号を制御部１０に出力する。また、入力部１１は、表示部１２の表示画面に設けられたタッチパネルを備えても良く、このタッチパネルを介して入力された指示信号を制御部１０に出力する。
【００３０】
表示部１２は、図１で示したＬＣＤやＣＲＴ等により構成され、制御部１０から入力される表示信号の指示に従って、入力部１１からの入力指示や画像等を表示画面上に表示させる。
【００３１】
通信制御部１３は、ＬＡＮやＷＡＮ、或いはインターネット等の通信ネットワークＮに接続された伝送媒体に接続可能なインターフェイスであり、モデム又はターミナルアダプタ等によって構成される。通信制御部１４は、電話回線網、ＩＳＤＮ回線網、専用線、移動体通信網、通信衛星回線、ＣＡＴＶ回線網等の通信回線を介して外部記憶装置との通信を行うための制御を行う。
【００３２】
ＲＡＭ１４は、書き換え可能な半導体素子で構成されており、制御部１０によって実行される各種プログラムやこれら各種プログラムによって処理されたデータ等を一時的に記憶するワークエリアを形成する。
【００３３】
記憶部１５は、プログラムやデータ等予め記憶されている記録媒体（不図示）を有しており、この記録媒体は磁気的、光学的記録媒体、若しくは半導体メモリで構成されている。この記録媒体は、記憶部１５に固定的に設けられるもの、若しくは着脱自在に装着するものであり、この記録媒体には、システムプログラム、当該システムに対応する各種処理プログラム、及び各種処理プログラムで処理されたデータ等を記憶する。なお、プログラムは、コンピュータが読取可能なプログラムコードの形態で格納され、制御部１０は、当該プログラムコードに従った動作を逐次実行する。
【００３４】
取得記録部１６は、メディア装填部１６ａと記録媒体装填部１６ｂとを有し、制御部１０の制御に従い、記録媒体に記録された各種データの取得を行う。また、取得記録部１６は、制御部１０の制御に従い、上記した記録媒体に対し、各種データの記録を行う。なお、本実施の形態では、データの取得と記録を一つの手段として構成したが、別々の手段として構成されるとしてもよい。
【００３５】
検出部１７は、識別情報検出手段として、記録媒体に記録された識別情報又はＣＤ−Ｒのレーベル面等に備えられたＩＣチップ、バーコード、二次元バーコード等に含まれる識別情報を検出して、その検出結果を制御部１０に出力する。なお、ここで識別情報とは、記録媒体が後述する情報記録制御処理を許可された記録媒体であるか否かを判定するために利用される情報を意味し、例えば、記録媒体に与えられる固有の情報、製造会社名、製造番号、使用可能なソフトウェア名、機種名等が含まれた情報を用いることができ、識別情報が付帯されていれば、後述する情報記録制御処理が許可された記録媒体と判断される。なお。識別情報は、情報記録装置１で検出可能に付帯されていればよく、ＣＤ−Ｒのどの領域に記録されていてもよいし、特定の情報記録装置１で読み取れるように暗号化されて付帯されていてもよい。
【００３６】
データ処理部１８は、制御部１０の制御に従い、取得記録部１６により取得されたデータのデータ形式に基づいて当該取得されたデータのデータ形式の変換を行う。具体的には、取得されたデータが特定の再生装置でしか再生できないようなデータ形式であった場合、多くの再生装置で再生することが可能なデータ形式に変換する。
【００３７】
ここで、データ処理部１８により行われるデータ形式の変換について説明する。
記録カードＭ、記録媒体Ｄ等の記録媒体に記録されたデータが、例えば、ＪＰＥＧ形式の静止画像データやＡＶＩ形式の動画データであった場合、これらのデータは、主にパソコンでの再生を前提としたデータ形式で生成されているためパソコンでの再生は可能であるが、ＤＶＤプレーヤやゲーム機等の他の再生装置（以下、再生装置という。）では再生できないことがある。そのため、データ処理部１８では、データ形式を変換することにより、パソコン以外の再生装置においてもデータの再生を可能とする。
【００３８】
具体的には、記録カードＭ、記録媒体Ｄ等の記録媒体に記録された、静止画像データ、動画データ及び音データをＭＰＶ（Music Photo Video）規格、ＨｉｇｈＭＡＴ（High-Performance Media Access Technology（登録商標））規格に準拠した形式に変換し、記録媒体に記録することにより、当該規格に準拠した再生装置でデータを再生することが可能となる。また、記録媒体Ｄに記録されたデータがＡＶＩ形式の動画データであった場合、当該画像データのデータ形式をＭＰＥＧ２形式に変換しＤＶＤ形式の記録媒体Ｄに記録すれば、ＤＶＤ−Ｖｉｄｅｏ形式の記録媒体Ｄを作成することができ、ＭＰＥＧ１形式に変換しＣＤ形式の記録媒体Ｄに記録すれば、Ｖｉｄｅｏ−ＣＤ形式の記録媒体Ｄを作成することができる。このように、特定の再生装置で再生可能なデータに加え、様々な再生装置で再生可能なデータ形式に変換したデータを記録媒体に記録することにより、ＤＶＤプレーヤやゲーム機等のパソコン以外の再生装置においてもデータを再生することが可能となる。
【００３９】
なお、再生装置で再生可能とするために必要となる再生指示用のメタファイル等は、データ処理部１８によるデータ形式の変換の際に生成されるものとし、また、再生装置で再生可能とするために必要となる所定のディレクトリ構造、ファイル名等は、データ形式変換の際や記録媒体にデータ形式変換済みデータの記録が行われる際に制御部１０の制御により所定の形式に変換されるものとする。
【００４０】
データ形式の変換は、上述した具体例に限定されず、他のデータ形式に変換することとしてもよい。また、多くの再生装置で再生可能なデータ形式に変換することが好ましい。また、多くの再生装置で再生可能なデータ形式を、特定の装置でのみ再生可能なデータ形式に変換するようにしてもよい。
【００４１】
次に、本実施の形態の動作を実施例１、実施例２及び実施例３に分けて説明する。
動作説明の前提として、以下のフローチャートに記述されている各処理を実現するためのプログラムは、コンピュータが読み取り可能なプログラムコードの形態で記憶部１５に記録されており、制御部１０は、当該プログラムコードに従った動作を実行する。
【００４２】
[実施例１]
本実施例１では、データＡが記録された再記録禁止領域及び記録が可能な記録可能領域を有するＣＤ−Ｒが記録媒体装填部１６ｂに装填された後、このＣＤ−Ｒに予め記録されたデータＡのＴＯＣ情報が記録されるまでの処理の流れを示す。なお、このＣＤ−Ｒには、データＡに関するＴＯＣ情報が記録されていないものとする。
【００４３】
以下、図３、４を参照して本実施例１について説明する。
まず、記録媒体装填部１６ｂにＣＤ−Ｒが装填されると、識別情報検出部１８により識別情報の検出が行われ（ステップＳ１１）、この検出結果が制御部１１に出力される。ここで、識別情報が検出されない場合（ステップＳ１１；Ｎｏ）、装填されたＣＤ−Ｒの排出が行われ（ステップＳ１２）、識別情報が検出できない旨の表示が表示部１２に表示される。
【００４４】
一方、識別情報が検出された場合は（ステップＳ１１；Ｙｅｓ）、この検出された識別情報に基づいてデータＡの開始アドレスａが特定される（ステップＳ１３）。ここで、開始アドレスａの特定は、識別情報に含まれる情報から一義的に開始アドレスａが導出できるよう予め設計されているものとし、例えば、識別情報に対応付けて開始アドレス、使用アプリケーション等の情報が予め記録部１５等の記録媒体に記録されているとしてもよいし、通信制御部１３を介して識別情報を管理するサーバ等から開始アドレス、使用アプリケーション等の情報を取得することとしてもよい。
【００４５】
続いて、ステップＳ１３で特定された開始アドレスａを含むＴＯＣ情報が生成され（ステップＳ１４）、このＴＯＣ情報が装填されたＣＤ−Ｒの最も内側の記録領域に記録されて（ステップＳ１５）、本処理は終了する。
【００４６】
図４を参照して、本実施例１の情報記録処理について説明する。図４（１）に示すように、データＡが記録された再記録禁止領域及び記録が可能な記録可能領域を有するＣＤ−Ｒが記録媒体装填部１６ｂに装填されると、ＣＤ−Ｒに記録された識別情報に基づいてデータＡの開始アドレスａが特定される（ステップＳ１３）。
【００４７】
次いで、特定された開始アドレスａを含むＴＯＣ情報が生成されて（ステップＳ１４）、図４（２）で示すように、ＣＤ−Ｒの記録可能な最も内側の領域にこのＴＯＣ情報が記録される（ステップＳ１５）。
【００４８】
以上のように、本実施例１によれば、データＡが記録された再記録禁止領域と記録が可能な記録可能領域とから構成されるＣＤ−Ｒから、このＣＤ−Ｒを識別する識別情報を検出し、この検出された識別情報に基づいてデータＡの記録開始位置を特定し、この記録開始位置を含んだＴＯＣ情報を生成してＣＤ−Ｒの記録可能領域に記録する。このことにより、識別情報を識別することが可能な情報記録装置１のみがＴＯＣ情報を生成することが可能であるため、このＣＤ−Ｒの再記録禁止領域に記録されたデータＡを再生することができる。
【００４９】
また、情報記録装置１は、ＣＤ−Ｒの記録可能領域の最も内側の領域にＴＯＣ情報を記録するため、記録後のＣＤ−ＲはＴＯＣ情報を認識することが可能な再生装置でであれば当該ＣＤ−Ｒに記録されたデータＡを読み込むことが可能となる。また、ＴＯＣ情報を最も内側の領域に記録することにより、ＴＯＣ情報を認識することが可能な再生装置でＴＯＣ情報の読み込みを効率的に行うことができる。
【００５０】
[実施例２]
本実施例２では、データＡが記録された再記録禁止領域及び記録が可能な記録可能領域を有するＣＤ−Ｒが記録媒体装填部１６ｂに装填された後、このＣＤ−Ｒに対してデータＢが記録されるまでの処理の流れを示す。なお、このＣＤ−Ｒには、データＡに関するＴＯＣ情報が記録されていないものとする。
【００５１】
以下、図５、６を参照して本実施例２について説明する。
まず、記録媒体装填部１６ｂにＣＤ−Ｒが装填されると、識別情報検出部１８により識別情報の検出が行われ（ステップＳ２１）、この検出結果が制御部１１に出力される。ここで、識別情報が検出されない場合（ステップＳ２１；Ｎｏ）、装填されたＣＤ−Ｒの排出が行われ（ステップＳ２２）、識別情報が検出できない旨の表示が表示部１２に表示される。
【００５２】
一方、識別情報が検出された場合は（ステップＳ２１；Ｙｅｓ）、この検出された識別情報に基づいてデータＡの開始アドレスａが特定される（ステップＳ２３）。ここで、開始アドレスａの特定は、識別情報に含まれる情報から一義的に開始アドレスａが導出できるよう予め設計されているものとする。
【００５３】
続いて、取得記録部１６からデータＢが読み込まれて（ステップＳ２４）、このデータＢをＣＤ−Ｒに記録する際の開始アドレスｂが特定される（ステップＳ２５）。ここで、データＢの開始アドレスの特定は、記録を行うＣＤ−Ｒの記録可能な領域量、記録を行うデータの容量、データ形式等に基づいて特定されるものとする。
【００５４】
次いで、ステップＳ２３及びステップＳ２５で特定された開始アドレスａ及び開始アドレスｂを含むＴＯＣ情報が生成され（ステップＳ２６）、このＴＯＣ情報がＣＤ−Ｒの最も内側の記録領域に記録される（ステップＳ２７）。そして、ステップＳ２５で特定された開始アドレスｂに基づいてデータＢがＣＤ−Ｒに記録され（ステップＳ２８）、本処理は終了する。
【００５５】
図６を参照して、本実施例２の情報記録処理について説明する。図６（１）に示すように、データＡ及び識別情報が記録されたＣＤ−Ｒが記録媒体装填部１６ｂに装填されると、識別情報に基づいてデータＡの開始アドレスａが特定される（ステップＳ２３）。
【００５６】
次いで、ＣＤ−Ｒに記録を行うデータＢが読み込まれて、このデータＢの開始アドレスｂが特定される（ステップＳ２５）。続いて、アドレスａ及びアドレスｂを含むＴＯＣ情報が生成された後（ステップＳ２６）、ＣＤ−Ｒの記録可能な最も内側の領域にこのＴＯＣ情報が記録される（ステップＳ２７）。
【００５７】
続いて、データＢが特定された開始アドレスｂに基づいてＣＤ−Ｒの記録可能領域に記録される（ステップＳ２８）。なお、図６（２）では、データＢがＴＯＣ情報の外側の記録可能領域に記録された例を示しているが、これに限定されず、ＣＤ−Ｒの記録可能領域のどこに記録されてもよい。
【００５８】
以上のように、本実施例２によれば、データＡが記録された再記録禁止領域と記録が可能な記録可能領域とから構成されるＣＤ−Ｒから、このＣＤ−Ｒを識別する識別情報を検出し、この検出された識別情報に基づいてデータＡの記録開始位置を特定するとともに取得されたデータＢの記録開始位置を特定し、この特定された開始アドレスａ及び開始アドレスｂを含んだＴＯＣ情報を生成してＣＤ−Ｒの記録可能領域に記録した後、開始アドレスｂに基づいてデータＢをＣＤ−Ｒの記録可能領域に記録する。このことにより、識別情報を識別することが可能な情報記録装置１のみがＴＯＣ情報を生成することが可能であるため、このＣＤ−Ｒの再記録禁止領域に記録されたデータＡを再生することができ、また、ＣＤ−Ｒの記録可能領域にデータＢを記録することができる。
【００５９】
また、情報記録装置１は、ＣＤ−Ｒの記録可能領域の最も内側の領域にＴＯＣ情報を記録するため、記録後のＣＤ−ＲはＴＯＣ情報を認識することが可能な再生装置でであれば当該ＣＤ−Ｒに記録されたデータＡ及びデータＢを読み込むことが可能となる。また、ＴＯＣ情報を最も内側の領域に記録することにより、ＴＯＣ情報を認識することが可能な再生装置でＴＯＣ情報の読み込みを効率的に行うことができる。
【００６０】
[実施例３]
本実施例３では、データＡが記録された再記録禁止領域及び記録が可能な記録可能領域を有するＣＤ−Ｒが記録媒体装填部１６ｂに装填された後、このＣＤ−Ｒに対してデータＢの記録を行う際に、データＢのファイル名及びディレクトリ構成の再生成（以下、再生成済みのデータＢをデータＢ’という。）及びデータ形式の変換（以下、データ形式の変換済みのデータＢをデータＣという。）を行った後、当該データＢ’、データＣがＣＤ−Ｒに記録されるまでの処理の流れを示す。なお、このＣＤ−Ｒには、データＡに関するＴＯＣ情報が記録されていないものとする。
【００６１】
以下、図７、８を参照して本実施例３について説明する。
まず、記録媒体装填部１６ｂにＣＤ−Ｒが装填されると、識別情報検出部１８により識別情報の検出が行われ（ステップＳ３１）、この検出結果が制御部１１に出力される。ここで、識別情報が検出されない場合（ステップＳ３１；Ｎｏ）、装填されたＣＤ−Ｒの排出が行われ（ステップＳ３２）、識別情報が検出できない旨の表示が表示部１２に表示される。
【００６２】
一方、識別情報が検出された場合は（ステップＳ３１；Ｙｅｓ）、この検出された識別情報に基づいてデータＡの開始アドレスａが特定される（ステップＳ３３）。ここで、開始アドレスａの特定は、識別情報に含まれる情報から一義的に開始アドレスａが導出できるよう予め設計されているものとする。
【００６３】
続いて、取得記録部１６からデータＢが読み込まれ（ステップＳ３４）、データＢのファイル名、ディレクトリ構成が再生成されてデータＢ’が生成された後（ステップＳ３５）、データＢのデータ形式が変換されてデータＣが生成される（ステップＳ３６）。ここで、ファイル名、ディレクトリ構成の再生成は、例えば、データＢから、日時情報（ファイル作成日時等）やファイル名、ユーザに関する情報、ファイルを作成した装置やアプリケーション等Ｄに関する情報、その他のベンダーユニークな情報等を読み取り、予め定めたルールに従って、読み取った情報からファイル名の再生成を行う。このように、ファイル名の再生成を行うことにより、データＢに含まれる静止画像データ等の情報の検索、管理を容易にすることができる。
【００６４】
次いで、データＢ’及びデータＣをＣＤ−Ｒに記録する際の開始アドレスｂ’及びアドレスｃが特定される（ステップＳ３７）。ここで、アドレスｂ’及びアドレスｃの特定は、記録を行うＣＤ−Ｒの記録可能な領域量、記録を行うデータの容量、データ形式等に基づいて特定されるものとする。
【００６５】
次いで、ステップＳ３３及びステップＳ３７で特定されたアドレスａ、アドレスｂ’及びアドレスｃを含むＴＯＣ情報が生成され（ステップＳ３８）、このＴＯＣ情報がＣＤ−Ｒの最も内側の記録領域に記録される（ステップＳ３９）。そして、ステップＳ２５で特定された開始アドレスｂに基づいてデータＢがＣＤ−Ｒに記録され（ステップＳ４０）、本処理は終了する。
【００６６】
図８を参照して、本実施例３の情報記録処理について説明する。図８（１）に示すように、データＡが記録された再記録禁止領域及び記録が可能な記録可能領域を有するＣＤ−Ｒが記録媒体装填部１６ｂに装填されると、ＣＤ−Ｒに記録された識別情報に基づいてデータＡの開始アドレスａが特定される（ステップＳ３３）。
【００６７】
次に、ＣＤ−Ｒに記録を行うデータＢが読み込まれて、このデータＢのファイル名、ディレクトリ構成が再生成されて（ステップＳ３５）、データＢ’が生成される。さらに、データＢのデータ形式が変換されて（ステップＳ３６）、データＣが生成され、データＢ’の開始アドレスｂ’及びデータＣの開始アドレスｃが特定さる（ステップＳ３７）。
【００６８】
次いで、アドレスａ、アドレスｂ’及びアドレスｃを含むＴＯＣ情報が生成された後（ステップＳ３８）、このＴＯＣ情報がＣＤ−Ｒの最も内側の記録領域に記録される（ステップＳ３９）。さらに、データＢ’及びデータＣがそれぞれ特定された開始アドレスｂ’及び開始アドレスｃに基づいてＣＤ−Ｒの記録可能領域に記録される（ステップＳ４０）。なお、図８（２）では、データＢ’及びデータＣがＴＯＣ情報の外側の記録可能領域に記録された例を示しているが、これに限定されず、ＣＤ−Ｒの記録可能領域のどこに記録されてもよい。また、データＣの外側にデータＢ’が記録された例を示しているが、これに限定されず、データＢ’の外側にデータＣが記録されることとしてもよい。
【００６９】
上記手順でファイル名、フォルダ構成再生成後のデータＢ’及びデータ形式変換後のデータＣが記録されたＣＤ−Ｒは、例えば、図９に示すようなファイルツリー構造となり、再生装置で再生するデータが格納される再生装置用データ格納部と、パソコンで再生するデータが格納されるパソコン用データ格納部とを含むように構成される。
【００７０】
上記再生装置用データ格納部には、例えば、動画データ格納するフォルダ（MPEGAV）と、静止画像データや音声データを格納するフォルダ（SEGMENT）と、データをＶｉｄｅｏ−ＣＤ形式用データ等として関連付けるファイルや再生情報ファイルを格納するフォルダ（VCD）とが含まれている。
【００７１】
また、パソコン用データ格納部には、例えば、各種データを一括して管理するためのフォルダ（PSD）が生成されて、この下位の階層には、ロールを管理するためのフォルダ（PS_Roll）が生成される。このフォルダ内にロール毎のデータを格納するサブフォルダ（RO2004010300010001等）が生成され、例えば、そのサブフォルダ内に静止画像データ（OR0401030001.jpg、OR0401020002.jpg等）、動画データ（OR0401030004.avi等）、音データ（OR0401030005.wav等）等が格納される。ここで、ロールとは、フィルムカメラにおけるフィルムに相当し、撮影日毎、予め設定された画像数やデータ量毎等の基準に応じて分類される単位をいう。
【００７２】
なお、図９のファイルツリー構成は例示であり、静止画像データ、動画データ及び音データ以外にパソコン及び再生装置で実行可能なアプリケーションや、静止画像データに対応するサムネイルデータ等を含める構成としてもよい。
【００７３】
以上のように、本実施例３によれば、データＡが記録された再記録禁止領域と記録が可能な記録可能領域とから構成されるＣＤ−Ｒから、このＣＤ−Ｒを識別する識別情報を検出し、この検出された識別情報に基づいてデータＡの記録開始位置を特定するとともに取得されたデータＢに対し、ファイル名、ディレクトリ構成の再生性及びデータ変換を施した後、データＢ’及びデータＣの記録開始位置を特定し、この記録開始位置を含んだＴＯＣ情報を生成してＣＤ−Ｒの記録可能領域に記録した後、データＢ’及びデータＣの記録開始位置に基づいてデータＢ’及びデータＣを記録媒体の記録可能領域に記録する。このことにより、識別情報を識別することが可能な情報記録装置１のみがＴＯＣ情報を生成することが可能であるため、このＣＤ−Ｒの再記録禁止領域に記録されたデータＡを再生することができ、また、ＣＤ−Ｒの記録可能領域にデータＢ’及びデータＣを記録することができる。
【００７４】
また、情報記録装置１は、ＣＤ−Ｒの記録可能領域の最も内側の領域にＴＯＣ情報を記録するため、記録後のＣＤ−ＲはＴＯＣ情報を認識することが可能な再生装置でであれば当該ＣＤ−Ｒに記録されたデータＡ、データＢ’及びデータＣを読み込むことが可能となる。また、ＴＯＣ情報を最も内側の領域に記録することにより、ＴＯＣ情報を認識することが可能な再生装置でＴＯＣ情報の読み込みを効率的に行うことができる。
【００７５】
なお、本実施例３では、データＢ’及びデータＣを記録することとしたが、これに限らず、何れか一方であってもよい。また、外部から取得したデータＢに対してファイル名、ディレクトリ構成の再生成及びデータ形式の変換を施すこととしたが、これに限定されず、予め記録されたデータＡに対して施すこととしてもよい。
【００７６】
本実施の形態では、ＴＯＣ情報をＣＤ−Ｒの最も内側の記録可能領域に記録することとしたが、これに限らず、ＴＯＣ情報領域として機能するのであれば記録可能領域中任意の場所に記録することとしてもよい。また、予めＴＯＣ情報がＣＤ−Ｒに記録されていない例を示したが、これに限らず、ＴＯＣ情報が予めＣＤ−Ｒに記録されていてもよいものとする。
【００７７】
また、本実施の形態では、記録媒体としてＣＤ−Ｒを使用する例を示したが、これに限らず、ＣＤ−ＲＷ，ＤＶＤ±Ｒ、ＤＶＤ±ＲＷ、ＤＶＤ−ＲＡＭ、ブルーレイディスク、ＭＯディスク等のディスク型記録媒体であってもよい。
【００７８】
本実施の形態における記述は、本発明に係る情報記録装置の一例を示すものであり、これに限定されるものではない。本実施の形態における情報記録装置１の細部構成及び詳細動作に関しては、本発明の趣旨を逸脱しない範囲で適宜変更可能である。
【図面の簡単な説明】
【００７９】
【図１】情報記録装置１の構成を模式的に示す図である。
【図２】情報記録装置１の構成を示すブロック図である。
【図３】本実施例１における情報記録制御処理の手順を示すフローチャート図である。
【図４】本実施例１におけるＣＤ−Ｒに記録されたデータ構成を模式的に示す図である。
【図５】本実施例２における情報記録制御処理の手順を示すフローチャート図である。
【図６】本実施例２におけるＣＤ−Ｒに記録されたデータ構成を模式的に示す図である。
【図７】本実施例３における情報記録制御処理の手順を示すフローチャート図である。
【図８】本実施例３におけるＣＤ−Ｒに記録されたデータ構成を模式的に示す図である。
【図９】本実施例３におけるＣＤ−Ｒに記録されたデータＢ’及びデータＣのディレクトリ構成の一例を示す図である。
【符号の説明】
【００８０】
１  情報記録装置
１０  制御部
１１  入力部
１２  表示部
１３  通信制御部
１４  ＲＡＭ
１５  記憶部
１６  取得記録部
１６ａ  メディア装填部
１６ｂ  記録媒体装填部
１７  識別情報検出部
１８  データ処理部
１９  バス
【図１】
2005235327.tif 000003
【図２】
2005235327.tif 000004
【図３】
2005235327.tif 000005
【図４】
2005235327.tif 000006
【図５】
2005235327.tif 000007
【図６】
2005235327.tif 000008
【図７】
2005235327.tif 000009
【図８】
2005235327.tif 000010
【図９】
2005235327.tif 000011